(57)【要約】【課題】様々な折り方がされても、破損や脱落することがなく常に安定した無線通信を得ることができるＲＦＩＤタグ付き布を提供する。【解決手段】織布または不織布からなる布材２上にＲＦＩＤタグ６が貼着されたＲＦＩＤタグ付き布において、上記ＲＦＩＤタグ６が、均等折りまたは特殊折りの折り目と干渉しない位置で、且つ上記布材２の耳部２ａと略平行に付加されたＸ線造影糸５上またはその近傍に配置されていることを特徴とする。【選択図】図１
2013046678.tif 000002
【特許請求の範囲】
【請求項１】
織布または不織布からなる布材上にＲＦＩＤタグが貼着されたＲＦＩＤタグ付き布において、
上記ＲＦＩＤタグが、均等折りまたは特殊折りの折り目と干渉しない位置で、且つ上記布材の耳部と略平行に付加されたＸ線造影糸上またはその近傍に配置されていることを特徴とするＲＦＩＤタグ付き布。
【請求項２】
上記ＲＦＩＤタグが、上記布材の各角部を避けて配置されている請求項１に記載のＲＦＩＤタグ付き布。
【請求項３】
上記ＲＦＩＤタグが、熱可塑性フィルムで密閉されている請求項１または２に記載のＲＦＩＤタグ付き布。
【請求項４】
上記ＲＦＩＤタグが、中心にＩＣチップを配置し、その周囲にアンテナを円状に配置した丸型のものから構成されている請求項１〜３のいずれか１項に記載のＲＦＩＤタグ付き布。
【発明の詳細な説明】
【技術分野】
【０００１】
本発明は、手術時に使用したガーゼ、不織布等の布材が体内に置き忘れられることを防止するためのＲＦＩＤタグ付き布に関するものである。
【背景技術】
【０００２】
外科手術の際には、出血を拭き取るなどの目的で大量のガーゼを使用されるが、体内で血液等を吸収したガーゼを肉眼によって識別することは極めて困難であり、それゆえ、ガーゼを患者の体内に置き忘れるという事故が繰り返し発生している。
【０００３】
このような遺残事故を防止するための手段としてＸ線造影糸付きガーゼが使用されている。このＸ線造影糸付きガーゼは、綿糸の織布からなるガーゼの一部に、Ｘ線が透過しにくいＸ線造影糸が筋状に織り込まれている（例えば、特許文献１参照）。
【０００４】
しかしながら、体内という環境下では場所によってはＸ線造影糸をレントゲン撮影で検出することができない場合もあることから、最近では、ガーゼにＲＦＩＤタグを貼り付け、通信による非接触方式でガーゼを検出する方法も採用されている。
【０００５】
この種のＲＦＩＤタグ付きガーゼは、例えば、図７に示すように、ガーゼ５０の縦横辺のそれぞれ中心線から外れた位置にＲＦＩＤタグ５１を配置しており、このＲＦＩＤタグ５１に線状アンテナ５２が接続されている（例えば、特許文献２の図１参照）。
【０００６】
ＲＦＩＤタグ５１を中心線から外れた位置に配置する理由は、医療用ガーゼは４ツ折りや８ツ折りされて保管されることが多く、ＲＦＩＤタグ５１がそれらの折り目にかかってしまうと、ＲＦＩＤタグ５１が破損したり脱落するおそれがあるからである。
【先行技術文献】
【特許文献】
【０００７】
【特許文献１】特開２００３−３１９９６６号公報
【特許文献２】特開２０１１−１５３９５号公報
【発明の概要】
【発明が解決しようとする課題】
【０００８】
しかしながら、医療用ガーゼは４ツ折りや８ツ折り等の均等折りに限らず、さばきやすい特殊折り、例えば、ナフキン折りやイカ折りされて保管されることもあり、ＲＦＩＤタグ５１が破損したり脱落するというトラブルは解消されていないのが実情である。
【０００９】
本発明は以上のような従来のＲＦＩＤタグ付きガーゼにおける課題を考慮してなされたものであり、いかなる折り方がなされても破損や脱落することがなく、手術時の使用に妨げにならず、ＲＦＩＤリーダライタとの間で常に安定した無線通信を確立することができるＲＦＩＤタグ付き布を提供するものである。
【課題を解決するための手段】
【００１０】
本発明は、織布または不織布からなる布材上にＲＦＩＤタグが貼着されたＲＦＩＤタグ付き布において、
上記ＲＦＩＤタグが、均等折りまたは特殊折りの折り目と干渉しない位置で、且つ上記布材の耳部と略平行に付加されたＸ線造影糸上またはその近傍に配置されているＲＦＩＤタグ付き布である。
【００１１】
本発明において、上記ＲＦＩＤタグは上記布材の各角部を避けて配置することが好ましい。
【００１２】
本発明において、上記ＲＦＩＤタグは熱可塑性フィルムで密閉されていることが好ましい。
【００１３】
本発明におけるＲＦＩＤタグとは、ＲＦＩＤタグ内に電池を持たず、ＲＦＩＤリーダライタから発する電磁波を整流して動作電力を得るいわゆるパッシブタイプのものであり、その形状としては、中心にＩＣチップを配置し、その周囲にアンテナを円状に配置した丸型のものを使用することが好ましい。
【００１４】
本発明における均等折りとは、折り畳まれて形成される各折り畳み面が略同サイズになる折り方であり、２ツ折り、４ツ折り、８ツ折り、縦８ツ折り等が例示される。
【００１５】
一方、特殊折りとは、Ｎｏ．７折り、イカ折り、ナフキン折り、９２号折り等が例示される。
【発明の効果】
【００１６】
本発明のＲＦＩＤタグ付き布によれば、いかなる折り方がなされても、ＲＦＩＤタグが破損したり脱落するおそれがなく、ＲＦＩＤリーダライタとの間で常に安定した無線通信を確立することができるという長所を有する。
【図面の簡単な説明】
【００１７】
【図１】本発明に係るＲＦＩＤタグ付き布の構成を説明する平面図である。
【図２】(ａ)および(ｂ)は２ツ折りおよび４ツ折りの折り方、並びにそれらの折り目とＲＦＩＤタグの配置を示す説明図である。
【図３】(ｃ)および(ｄ)は８ツ折りおよび縦８ツ折りの折り方、並びにそれらの折り目とＲＦＩＤタグの配置を示す説明図である。
【図４】(ｅ)および(ｆ)はＮｏ．７折りおよびイカ折りの折り方、並びにそれらの折り目とＲＦＩＤタグの配置を示す説明図である。
【図５】(ｇ)および(ｈ)はナフキン折りおよび９２号折りの折り方、並びにそれらの折り目とＲＦＩＤタグの配置を示す説明図である。
【図６】(ａ)〜（ｈ）は各種折り方による折り目を一覧にした説明図であり、（ｉ）は各種折り方による折り目を一枚のガーゼ上に重ね合わせた説明図である。
【図７】従来のＲＦＩＤタグ付きガーゼの構成を示す平面図である。
【発明を実施するための形態】
【００１８】
以下、図面に示した実施の形態に基づいて本発明を詳細に説明する。
【００１９】
図１において、本発明に係るＲＦＩＤタグ付き布１は、布材として体内に入れる医療用のガーゼを使用している。なお、同図では一辺の幅Ｗが３００ｍｍ＋５ｍｍ、３００ｍｍ−１０ｍｍの正方形のガーゼ２を製作するにあたり、ロールから巻ほどかれた幅Ｗのガーゼ原反３を矢印Ａ方向に送っている状態を示している。
【００２０】
なお、ガーゼ原反３はＡ方向に縦糸を配し、Ａ方向と直交する方向に横糸を配して織られており、Ａ方向において略３００ｍｍピッチで密織部（厚段部）４が織り込まれ、それらの密織部４を切断線４ａに沿って切断することにより、正方形のガーゼ２が個別に得られるようになっている。
【００２１】
また、ガーゼ２の耳部２ａから距離Ｗ′（５０ｍｍ±５ｍｍ）内側に入った位置に、その耳部２ａに沿って、Ｘ線造影糸５が織り込まれている。
【００２２】
このＸ線造影糸５は、Ｘ線が透過しにくい硫酸バリウムを樹脂に練り込んだもので、ポリプロピレン系樹脂に硫酸バリウムを５５〜６５質量％練り込んだマルチフィラメント、または硫酸バリウムを５０〜８０質量％練り込んだ塩化ビニル樹脂やシリコーン樹脂等の糸状体から構成されている。
【００２３】
ＲＦＩＤタグ６は上記耳部２ａと上記Ｘ線造影糸５とによって挟まれる長方形の領域内でＸ線造影糸５の近傍に配置されるようになっている。
【００２４】
具体的には、ガーゼ２の角部を避け、切断線４ａから６０ｍｍ離れた一方境界線６ａと切断線４ａから１２０ｍｍ離れた他方境界線６ｂとの間のタグ貼着領域Ｓ内にＲＦＩＤタグ６を配置する。なお、Ｘ線造影糸５上にＲＦＩＤタグを配置してもよい。ガーゼ２の角部は手術時に使用されるために避ける必要があり、また、Ｘ線造影糸付近は使用することが少ないからである。
【００２５】
また、ＲＦＩＤタグ６はφ１５〜３０ｍｍの丸型のものを使用することができ、好ましくはφ２２ｍｍである。
【００２６】
手術においてガーゼはあらゆる形状にて使用されるため、ＲＦＩＤタグもガーゼとともに形状が変化することになる。丸型のＲＦＩＤタグは、同一の通信特性が期待できる同じ面積を持つ長方形のＲＦＩＤタグに比べ、形状を保持しやすい（曲がりにくい）という利点があるため、アンテナ形状の変化に起因する通信性能の低下を抑制することができる。
【００２７】
また、ＲＦＩＤタグ６の共振周波数としては例えば１４．３〜１５．３ＭＨｚのものを使用することができる。
【００２８】
また、本発明におけるＲＦＩＤタグ６はパッシブタイプであり、基材となる円形シートの中にＩＣチップを配置し、その周囲に銅巻線、銅エッチング、アルミニウムエッチング、または銀印刷等によってアンテナを円状に配置し、さらに、その上下両面から２枚の耐熱性フィルム、例えば熱可塑性ポリマーまたはエラストマーを素材とするフィルムでラミネートしてＲＦＩＤタグ６を密閉し、ラミネートしたフィルムの下面にホットメルト層やポリエチレン等のシーラント層を形成したものが使用される。ただし、耐熱性フィルム、ホットメルト層、シーラント層の外径はＲＦＩＤタグ６よりも大径とする。
【００２９】
このラミネートされたＲＦＩＤタグ６を上記タグ貼着領域Ｓに配置し、ホットメルト層またはポリエチレン等のシーラント層を溶融することによりＲＦＩＤタグ６をガーゼ２に貼着する。
【００３０】
このように本実施形態では、ＲＦＩＤタグ６をガーゼ２に貼着するにあたり接着剤を使用しないため、ＲＦＩＤタグ付き布１を体内に入れても安全であり、使用時に体の組織を傷つけないという利点がある。
【００３１】
図２〜５は各種ガーゼの折り方と、展開した時の折り目の位置とＲＦＩＤタグの位置を示したものである。なお、各図において、破線は山折り、一点鎖線は谷折りを示している。
【００３２】
（１）均等折り
図２(ａ)は２ツ折りの折り方と展開した時の折り目の位置とＲＦＩＤタグの位置を示している。
【００３３】
２ツ折りの場合、折り目２ｂはガーゼ２の略中央を縦方向に横切る位置に形成され、ＲＦＩＤタグ６とは離れた位置にあるためＲＦＩＤタグ６が破損したり脱落するおそれはない。
【００３４】
図２(ｂ)は４ツ折りの折り方と展開した時の折り目の位置とＲＦＩＤタグの位置を示しており、折り目２ｂと直交する折り目２ｃが形成されるが、この場合もＲＦＩＤタグ６とは離れた位置にあるためＲＦＩＤタグ６が破損したり脱落するおそれはない。
【００３５】
図３(ｃ)は８ツ折りの折り方と展開した時の折り目の位置とＲＦＩＤタグの位置を示しており、折り目２ｃと直交する３本の折り目２ｄが形成される。
【００３６】
この場合も各折り目２ｃ、２ｄは、ＲＦＩＤタグ６とは離れた位置にあるためＲＦＩＤタグ６が破損したり脱落するおそれはない。
【００３７】
図３(ｄ)は縦８ツ折りの折り方と展開した時の折り目の位置とＲＦＩＤタグの位置を示しており、折り目２ｄの位置および本数は８ツ折り（図３(ｃ)）の場合と同じであり、ＲＦＩＤタグ６が破損したり脱落するおそれはない。
【００３８】
（２）特殊折り
図４(ｅ)はＮｏ．７折りの折り方と展開した時の折り目の位置とＲＦＩＤタグの位置を示している。
【００３９】
Ｎｏ．７折りでは、ガーゼ２の角部２ｅから放射状に伸びる２本の折り目２ｆと、それらの折り目２ｆを円弧状に横断する１本の折り目２ｇが形成されるが、ＲＦＩＤタグ６とは離れた位置にあるためＲＦＩＤタグ６が破損したり脱落するおそれはない。
【００４０】
図４(ｆ)はイカ折りの折り方と展開した時の折り目の位置とＲＦＩＤタグの位置を示している。
【００４１】
イカ折りでは、ガーゼ２の対角線位置に１本の折り目２ｈと、その折り目２ｈと交差する２本の折り目２ｉが形成される。ＲＦＩＤタグ６の近傍を折り目２ｈが横断しているが、ＲＦＩＤタグ６は折り目２ｈを避けて一方境界線６ａ（図１参照）の内側に配置されているため、ＲＦＩＤタグ６が破損したり脱落するおそれはない。
【００４２】
図５(ｇ)はナフキン折りの折り方と展開した時の折り目の位置とＲＦＩＤタグの位置を示している。
【００４３】
ナフキン折りでは、ガーゼ２の対角線位置に２本の折り目２ｊ，２ｋが形成され、ガーゼ２の中心から放射状に折り目２ｌが形成され、ＲＦＩＤタグ６の近傍を２本の折り目２ｊと２ｌが通っているが、ＲＦＩＤタグ６は、それらの折り目２ｊ，２ｌを避けて一方境界線６ａと他方境界線６ｂ（図１参照）の間に配置されているため、ＲＦＩＤタグ６が破損したり脱落するおそれはない。
【００４４】
図５(ｈ)は９２号折りの折り方と展開した時の折り目の位置とＲＦＩＤタグの位置を示している。
【００４５】
９２号折りでは、ガーゼ２の対角線位置に１本の折り目２ｍと、その折り目２ｍと直交する方向に４本の折り目２ｎが形成されるが、この場合もＲＦＩＤタグ６はそれら折り目２ｍ、２ｎを避けて配置されているため、ＲＦＩＤタグ６が破損したり脱落するおそれはない。
【００４６】
図６(ａ)〜(ｈ)は上記した各種折り方を一覧にして示したものであり、また、図６（ｉ）はすべての折り方による折り目を一枚のガーゼ上に重ね合わせたものである。
【００４７】
図６（ｉ）から分かるように、本発明のＲＦＩＤタグ付き布１を用いれば、ガーゼ２をいかなる折り方で折ってもＲＦＩＤタグ６と重ならないため、ＲＦＩＤタグ６が破損したり脱落するおそれのないことがわかる。
【００４８】
なお、上記実施形態では布材としてガーゼを例に取り説明したが、ガーゼは不織布であってもよい。
【符号の説明】
【００４９】
１    ＲＦＩＤタグ付き布
２    ガーゼ（布材）
２ａ  耳部
２ｂ〜２ｄ  折り目
２ｅ  角部
２ｆ〜２ｎ  折り目
３    ガーゼ原反
４    密織部（厚段部）
４ａ  切断線
５    Ｘ線造影糸
６    ＲＦＩＤタグ
６ａ  一方境界線
６ｂ  他方境界線
【図１】
2013046678.tif 000003
【図２】
2013046678.tif 000004
【図３】
2013046678.tif 000005
【図４】
2013046678.tif 000006
【図５】
2013046678.tif 000007
【図６】
2013046678.tif 000008
【図７】
2013046678.tif 000009